(57)【要約】【課題】液体のミストのような細かい異物であってもレンズ表面への付着を防止可能なカメラ防護装置を提供する。【解決手段】カメラ防護装置７０は、赤外線カメラ６１の光軸Ｌに沿って延び且つレンズ表面６１ｃの前方の開口空間部７６を囲む筒状であり、開口空間部７６に向かって気体を供給するレンズカバー部７５と、レンズカバー部７５に対して気体を供給する気体供給部と、を備える。レンズカバー部７５は、レンズカバー部７５内に位置し、気体供給部から気体が供給される気体供給空間部７７と、レンズカバー部７５のレンズカバー内壁部７５ｄに、気体供給空間部７７から開口空間部７６に向かって赤外線カメラ６１の光軸Ｌに対して交差する複数の方向に気体を吹き出し可能なスリット７８ａとを有する。スリット７８ａは、開口空間部７６に対し、レンズ表面６１ｃの斜め前方に向かって気体を吹き出す。【選択図】図５
2019174645.tif 000002
【特許請求の範囲】
【請求項１】
カメラのレンズ部のレンズ表面に対する異物の付着を防止するカメラ防護装置であって、
前記カメラの光軸に沿って延び且つ前記レンズ表面の前方の空間を囲む筒状であり、前記空間に向かって気体を供給するレンズカバー部と、
前記レンズカバー部に対して気体を供給する気体供給部と、
を備え、
前記レンズカバー部は、
前記レンズカバー部内に位置し、前記気体供給部から気体が供給される気体供給空間部と、
前記レンズカバー部の内面に、前記気体供給空間部から前記空間に向かって、前記カメラの光軸に対して交差し且つ前記レンズ表面の斜め前方の複数の方向に気体を吹き出し可能な開口部とを有する、カメラ防護装置。
【請求項２】
請求項１に記載のカメラ防護装置において、
前記開口部は、複数の吐出孔を含み、
前記複数の吐出孔は、前記レンズカバー部の内面に、前記カメラの光軸を囲んで等間隔で位置する、カメラ防護装置。
【請求項３】
請求項２に記載のカメラ防護装置において、
前記吐出孔は、前記カメラの光軸に対して交差する方向に延びるスリットである、カメラ防護装置。
【請求項４】
請求項１から３のいずれか一つに記載のカメラ防護装置において、
前記気体供給部は、前記気体供給空間部に対して気体を供給する複数の気体注入部を有する、カメラ防護装置。
【請求項５】
請求項１から４のいずれか一つに記載のカメラ防護装置において、
前記気体供給空間部は、前記カメラの光軸及び前記レンズ部を囲む環状である、カメラ防護装置。
【請求項６】
請求項１から５のいずれか一つに記載のカメラ防護装置において、
カメラ本体部を覆うカメラ本体カバー部と、
前記カメラ本体カバー部内に気体を供給するカメラ本体用気体供給部と、
をさらに備える、カメラ防護装置。
【請求項７】
請求項６に記載のカメラ防護装置において、
前記レンズカバー部は、前記カメラ本体カバー部に対し、前記カメラの光軸に沿った方向の前方に位置し、
前記カメラにおける前記レンズ部側の一部は、前記カメラ本体カバー部から外方に突出して前記レンズカバー部内に位置し、
前記カメラ用気体供給部は、前記カメラ本体カバー部内に、前記カメラの前記レンズ部とは反対側から気体を供給し、
前記カメラカバー部及び前記レンズ本体カバー部は、前記カメラとの間に、前記カメラカバー部内の気体が前記レンズ表面の前方に位置する前記空間に向かって流れる隙間を有する、カメラ防護装置。
【請求項８】
鋳造品を鋳造するための鋳造用金型を有する鋳造装置であって、
前記鋳造用金型の金型合わせ面の温度を計測する赤外線カメラと、
前記赤外線カメラを防護する、請求項１から７のいずれか一つに記載のカメラ防護装置と、
を備え、
前記赤外線カメラ及び前記カメラ防護装置は、前記鋳造用金型よりも上方に位置する、鋳造装置。
【発明の詳細な説明】
【技術分野】
【０００１】
本発明は、カメラ防護装置及びそれを備えた鋳造装置に関する。
【背景技術】
【０００２】
カメラのレンズ表面に対する異物の付着を防止するカメラ防護装置が知られている。このようなカメラ防護装置として、例えば特許文献１に開示されているエアカバーが知られている。
【０００３】
前記特許文献１のエアカバーは、被装着体である監視カメラのガラスを囲むように装着され、開口が設けられたケーシングを備える。前記エアカバーは、前記ケーシングにおいて前記ガラスと前記開口との間に位置し、開口側からガラス側に向かって気体を流すガラス側通気路と、前記ケーシングの前記開口側に位置し、前記ケーシング外に気体を流す開口側通気路とを有する。
【先行技術文献】
【特許文献】
【０００４】
【特許文献１】特開２０１５−４７４１号公報
【発明の概要】
【発明が解決しようとする課題】
【０００５】
ところで、近年、鋳造用金型を用いて鋳造品を鋳造する場合に、前記鋳造用金型の金型合わせ面の温度を赤外線カメラ等によって計測することが検討されている。一般的に、鋳造用金型を用いて鋳造品を鋳造する際には、前記鋳造用金型からの離型性を向上するために前記鋳造用金型の金型合わせ面に離型剤が塗布される。
【０００６】
上述のように赤外線カメラを用いて前記鋳造用金型の金型合わせ面の温度を測定する場合、前記鋳造用金型の金型合わせ面に塗布された前記離型剤のミストが、前記赤外線カメラのレンズ表面に付着する可能性がある。前記赤外線カメラのレンズ表面に前記離型剤のミストが付着すると、前記赤外線カメラによる前記鋳造用金型の金型合わせ面の温度計測結果に誤差が生じる可能性がある。
【０００７】
これに対し、上述の特許文献１のようなエアカバーによって前記赤外線カメラを覆うことが考えられる。しかしながら、前記特許文献１のようなエアカバーでは、監視カメラのレンズ表面に向かって気体を吹き付けるため、レンズ表面上に気体の渦流が発生する可能性がある。そうすると、気体の渦流に前記離型剤のミストが巻き込まれて、前記離型剤のミストが前記赤外線カメラのレンズ表面側に移動する可能性がある。
【０００８】
このように、上述の特許文献１の構成では、カメラのレンズ表面近傍に生じる気体の渦流によって、離型剤等の液体のミストのような細かい異物がレンズ表面に付着する可能性がある。
【０００９】
本発明の目的は、液体のミストのような細かい異物であってもレンズ表面への付着を防止可能なカメラ防護装置を提供することにある。
【課題を解決するための手段】
【００１０】
本発明の一実施形態に係るカメラ防護装置は、カメラのレンズ部のレンズ表面に対する異物の付着を防止するカメラ防護装置である。このカメラ防護装置は、前記カメラの光軸に沿って延び且つ前記レンズ表面の前方の空間を囲む筒状であり、前記空間に向かって気体を供給するレンズカバー部と、前記レンズカバー部に対して気体を供給する気体供給部と、を備える。前記レンズカバー部は、前記レンズカバー部内に位置し、前記気体供給部から気体が供給される気体供給空間部と、前記レンズカバー部の内面に、前記気体供給空間部から前記空間に向かって、前記カメラの光軸に対して交差し且つ前記レンズ表面の斜め前方の複数の方向に気体を吹き出し可能な開口部とを有する。
【発明の効果】
【００１１】
本発明の一実施形態に係るカメラ防護装置によれば、液体のミストのような細かい異物であってもレンズ表面への付着を防止することができる。
【図面の簡単な説明】
【００１２】
【図１】図１は、実施形態に係るカメラ防護装置を備えた鋳造装置の構成を模式的に示す図である。
【図２】図２は、カメラ防護装置の概略構成を示す斜視図である。
【図３】図３は、カメラ防護装置における図２のＩＩＩ−ＩＩＩ線断面を含むカメラ防護装置の斜視図である。
【図４】図４は、カメラ防護装置における図２のＩＶ−ＩＶ線断面を含むカメラ防護装置の斜視図である。
【図５】図５は、図２のＩＶ−ＩＶ線断面の部分拡大図である。
【発明を実施するための形態】
【００１３】
以下、図面を参照し、本発明の実施の形態を詳しく説明する。なお、図中の同一または相当部分については同一の符号を付してその説明は繰り返さない。また、各図中の構成部材の寸法は、実際の構成部材の寸法及び各構成部材の寸法比率等を忠実に表したものではない。
【００１４】
なお、以下の説明において、鋳造装置１を設置した状態の重力方向を「上下方向」といい、鋳造装置１の重力方向に対して直交する水平方向を「左右方向」という。また、プランジャロッド２３が延びる方向を「軸方向」という。
【００１５】
また、赤外線カメラ６１の光軸Ｌに沿った方向において、レンズ表面側を「前方」という。
【００１６】
（鋳造装置）
図１は、本発明の実施形態に係るカメラ防護装置７０を備えた鋳造装置１の構成を模式的に示す図である。鋳造装置１は、射出プランジャ装置２から鋳造用金型１０の内部に溶融金属を射出することにより、所定形状を有する鋳造品を成形する装置である。鋳造装置１は、鋳造用金型１０と、射出プランジャ装置２と、可動盤３と、固定盤４と、を備える。
【００１７】
鋳造用金型１０は、可動盤３に固定された可動型１１と、固定盤４に固定された固定型１２とを有する。特に図示しないが、可動盤３は、鋳造装置１において水平方向（左右方向）に移動可能である。固定盤４は、鋳造装置１の図示しないフレーム等に固定されている。よって、可動盤３が固定盤４から離れる方向に移動することにより、鋳造用金型１０の可動型１１は固定型１２に対して離れる方向に移動する。一方、可動盤３が固定盤４に近づく方向に移動することにより、鋳造用金型１０の可動型１１は固定型１２に対して近づく方向に移動する。可動型１１及び固定型１２は、それぞれ、対向する面に金型合わせ面１１ａ，１２ａを有する。
【００１８】
可動型１１が固定型１２に最も近づいた状態で、可動型１１と固定型１２との間にはキャビティ１３が形成される。キャビティ１３内に、後述する射出プランジャ装置２から溶融金属が射出されることにより、所定形状を有する鋳造品が成形される。なお、鋳造用金型１０によって前記所定形状を有する鋳造品が成形された後、可動型１１を固定型１２から離間させることにより、前記鋳造品を鋳造用金型１０内から取り出すことができる。
【００１９】
射出プランジャ装置２は、鋳造用金型１０のキャビティ１３内に溶融金属を供給するための装置である。射出プランジャ装置２は、プランジャスリーブ２１と、プランジャチップ２２と、プランジャロッド２３とを備える。
【００２０】
プランジャスリーブ２１は、内部に溶融金属通路２１ａを有する円筒状の金属製部材である。プランジャスリーブ２１の軸方向の一端側は、可動型１１を貫通している。すなわち、プランジャスリーブ２１の前記一端側は、可動型１１と固定型１２との間のキャビティ１３に接続されている。
【００２１】
プランジャスリーブ２１は、溶融金属通路２１ａと、射出口２１ｂと、供給口２１ｃと、を有する。溶融金属通路２１ａは、円筒状のプランジャスリーブ２１内で軸方向に延びる断面円形状の通路である。
【００２２】
射出口２１ｂは、プランジャスリーブ２１の前記一端側、すなわち溶融金属通路２１ａの一端側に位置し且つ鋳造用金型１０のキャビティ１３に向かって軸方向に開口している。すなわち、射出口２１ｂは、溶融金属通路２１ａ内の溶融金属を鋳造用金型１０のキャビティ１３内に射出するための開口部である。鋳造用金型１０は、射出口２１ｂからキャビティ１３内に溶融樹脂が射出される部分にゲート１０ａを有する。
【００２３】
供給口２１ｃは、プランジャスリーブ２１の側壁において射出口２１ｂとは反対側の端部に位置し、上方に向かって開口している。供給口２１ｃは、溶融金属通路２１ａ内に溶融金属を供給するための開口部である。
【００２４】
プランジャスリーブ２１の溶融金属通路２１ａ内には、円柱状のプランジャチップ２２が往復移動可能に配置されている。供給口２１ｃから溶融金属通路２１ａ内に供給された溶融金属は、プランジャチップ２２が射出口２１ｂに向かって移動することにより（図１の矢印）、射出口２１ｂからゲート１０ａを介してキャビティ１３内に射出される。
【００２５】
また、鋳造装置１は、離型剤塗布装置５を備える。離型剤塗布装置５は、鋳造用金型１０の可動型１１及び固定型１２の金型合わせ面１１ａ，１２ａに対して離型剤を噴射する。すなわち、離型剤塗布装置５は、離型剤を噴出するための図示しない噴霧部を有する。この噴霧部には、図示しないタンクから離型剤が供給される。なお、前記噴霧部は、鋳造装置１の制御部によって、離型剤の噴霧のタイミング及び噴霧量等が制御される。
【００２６】
離型剤塗布装置５は、鋳造用金型１０の可動型１１が固定型１２に対して離間した際に、可動型１１と固定型１２との間に位置し、可動型１１と固定型１２とが近づく際には、可動型１１と固定型１２との間の位置から退避位置に移動する。すなわち、離型剤塗布装置５は、鋳造用金型１０に対して移動可能である。本実施形態では、離型剤塗布装置５は、可動型１１が左右方向に移動する鋳造用金型１０に対し、上下方向に移動する。離型剤塗布装置５の上下方向の移動も、鋳造装置１の制御部によって制御される。
【００２７】
なお、離型剤塗布装置５は従来と同様の構成を有するため、離型剤塗布装置５に関する詳しい説明を省略する。
【００２８】
また、鋳造装置１は、金型温度計測装置６を備える。金型温度計測装置６は、鋳造用金型１０の可動型１１及び固定型１２における金型合わせ面１１ａ，１２ａの表面温度を計測する。金型温度計測装置６で金型合わせ面１１ａ，１２ａの表面温度を計測することにより、計測した表面温度に基づいて、鋳造品を鋳造する際の金型合わせ面１１ａ，１２ａの表面温度を制御することが可能である。
【００２９】
金型温度計測装置６は、赤外線カメラ６１（カメラ）によって金型合わせ面１１ａ，１２ａの表面を撮像することにより金型合わせ面１１ａ，１２ａの表面温度を計測する。詳しくは、金型温度計測装置６は、赤外線カメラ６１と、カメラ制御部６２と、カメラ防護装置７０とを有する。
【００３０】
赤外線カメラ６１は、金型合わせ面１１ａ，１２ａから放射される赤外線を可視化する。赤外線カメラ６１は、レンズ部６１ａと、カメラ本体部６１ｂとを有する。レンズ部６１ａから入射された赤外線は、カメラ本体部６１ｂによって検出される。なお、赤外線カメラ６１の構成は従来の構成と同様なので、赤外線カメラ６１に関する詳しい説明を省略する。
【００３１】
赤外線カメラ６１は、本実施形態の場合、鋳造用金型１０に対して上方に位置する。すなわち、赤外線カメラ６１は、鋳造用金型１０の金型合わせ面１１ａ，１２ａを上方から撮像する。
【００３２】
既述のように、離型剤塗布装置５によって金型合わせ面１１ａ，１２ａに対して離型剤が噴霧される。そのため、噴霧された離型剤の一部及び金型合わせ面１１ａ，１２ａの表面上で気化した離型剤は、ミスト状で上方に移動する。すなわち、ミスト状の離型剤の一部は、赤外線カメラ６１に向かって移動する。
【００３３】
上述のように赤外線カメラ６１はレンズ部６１ａから入射された赤外線を可視化するため、レンズ部６１ａのレンズ表面６１ｃ（図２参照）にミスト状の離型剤が付着すると、赤外線の入射量が減少する。この場合、赤外線を用いて金型合わせ面１１ａ，１２ａの表面温度を計測する金型温度計測装置６は、金型合わせ面１１ａ，１２ａの表面温度を精度良く計測できない可能性がある。
【００３４】
これに対し、本実施形態では、赤外線カメラ６１は、カメラ防護装置７０によって覆われている。すなわち、赤外線カメラ６１は、カメラ防護装置７０によって防護されている。図３及び図４に示すように、カメラ防護装置７０は、赤外線カメラ６１を覆うケーシング７１と、赤外線カメラ６１のレンズ部６１ａにミスト状の離型剤が付着するのを防止するレンズ防護部８０とを有する。レンズ防護部８０は、レンズ部６１ａの光軸方向の前方に気体を流すことにより、レンズ部６１ａにミスト状の離型剤が付着するのを防止する。カメラ防護装置７０の詳しい構成は後述する。なお、前記気体は、例えば空気であるが、これに限らず、離型剤の付着を防止可能な気体であれば、どのような気体であってもよい。
【００３５】
図１に示すカメラ制御部６２は、赤外線カメラ６１の駆動を制御するとともに、赤外線カメラ６１によって得られた赤外線のデータを用いて、金型合わせ面１１ａ，１１ｂの温度を可視化する。これにより、赤外線カメラ６１を用いて、所定のタイミングで金型合わせ面１１ａ，１２ａの温度計測することができる。
【００３６】
また、カメラ制御部６２は、カメラ防護装置７０のレンズ防護部８０の駆動も制御する。詳しくは、カメラ制御部６２は、レンズ防護部８０の後述の気体供給部８５を駆動制御する。これにより、レンズ防護部８０の後述の気体供給部８５を適切なタイミングで駆動させることができる。
【００３７】
（カメラ防護装置）
図２に、カメラ防護装置７０の全体構成を示す。図３に、図２におけるＩＩＩ−ＩＩＩ線断面を含むカメラ防護装置７０の斜視図を示す。図４に、図２におけるＩＶ−ＩＶ線断面を含むカメラ防護装置７０の斜視図を示す。図５に、図２におけるＩＶ−ＩＶ線断面のカメラ防護装置７０の部分拡大図を示す。
【００３８】
図２から図５に示すように、カメラ防護装置７０は、ケーシング７１と、レンズ防護部８０とを備える。
【００３９】
ケーシング７１は、直方体状であり、板部材によって構成される。ケーシング７１は、カメラ本体カバー部７２と、レンズカバー部７５とを有する。カメラ本体カバー部７２及びレンズカバー部７５は、それぞれ直方体状であり、板部材によって構成される。カメラ本体カバー部７２及びレンズカバー部７５は、赤外線カメラ６１の光軸Ｌに沿った方向に並んだ状態で連結される。
【００４０】
図３に示すように、カメラ本体カバー部７２は、内部に、カメラ本体部６１ｂを収容する収容空間７３を有する。すなわち、カメラ本体カバー部７２は、赤外線カメラ６１のカメラ本体部６１ｂを覆う。
【００４１】
具体的には、カメラ本体カバー部７２は、光軸Ｌに沿った方向から見て矩形平板状のカメラ本体カバー前側外壁部７２ａ及びカメラ本体カバー後側外壁部７２ｂを有する。カメラ本体カバー前側外壁部７２ａ及びカメラ本体カバー後側外壁部７２ｂは、光軸Ｌに沿った方向に並ぶ。また、カメラ本体カバー部７２は、カメラ本体カバー前側外壁部７２ａとカメラ本体カバー後側外壁部７２ｂとを、それぞれ４辺で光軸Ｌに沿った方向に接続する４つのカメラ本体カバー側壁部７２ｃを有する。カメラ本体カバー前側外壁部７２ａ、カメラ本体カバー後側外壁部７２ｂ及び４つのカメラ本体カバー側壁部７２ｃによって、直方体状のカメラ本体カバー部７２の外形が構成される。
【００４２】
カメラ本体部６１ｂは、収容空間７３内で、光軸Ｌに沿った方向において、カメラ本体カバー後側外壁部７２ｂよりもカメラ本体カバー前側外壁部７２ａに近い位置に位置する。
【００４３】
図４及び図５に示すように、カメラ本体カバー部７２は、カメラ本体カバー前側外壁部７２ａに、赤外線カメラ６１のレンズ部６１ａが貫通する貫通孔７２ｄを有する。また、カメラ本体カバー部７２は、カメラ本体カバー前側外壁部７２ａに、レンズ防護部８０の後述する一対の気体注入部８２を有する。光軸Ｌに沿った方向からカメラ本体カバー前側外壁部７２ａを見て、貫通孔７２ｄは、一対の気体注入部８２の間に位置する。すなわち、一対の気体注入部８２は、カメラ本体カバー部７２の収容空間７３内で、赤外線カメラ６１に対して、光軸Ｌと直交する方向の両側に位置する。
【００４４】
図３及び図４に示すように、カメラ本体カバー部７２は、カメラ本体カバー後側外壁部７２ｂに、レンズ防護部８０の後述する気体導入部８１を有する。気体導入部８１は、カメラ本体カバー部７２の収容空間７３内で、２つに分岐される。
【００４５】
また、カメラ本体カバー部７２は、カメラ本体カバー後側外壁部７２ｂに、カメラ本体カバー部７２の内部に気体を供給するカメラ本体用気体供給部９１を有する。カメラ本体用気体供給部９１には、カメラ本体カバー部７２の外方に位置する気体供給源（図示省略）にチューブ（図示省略）を介して接続されている。すなわち、カメラ本体カバー部７２の内部には、前記気体供給源から前記チューブを介して気体が供給される。
【００４６】
これにより、カメラ本体部６１ｂを冷却することができる。また、カメラ本体カバー部７２の貫通孔７２ｄとレンズ部６１ａとの隙間及び後述のレンズカバー部７５のレンズ側開口部７６ｂとレンズ部６１ａとの隙間から、レンズカバー部７５の後述の開口空間部７６内に気体を供給することができる。
【００４７】
カメラ本体カバー部７２の収容空間７３内には、気体導入部８１と気体注入部８２とを接続する後述の気体チューブ８３が収容されている。
【００４８】
なお、図２及び図３に示すように、カメラ本体カバー部７２は、４つのカメラ本体カバー側壁部７２ｃのうち上側に位置するカメラ本体カバー側壁部７２ｃに、複数の通気口７２ｅを有する。通気口７２ｅによって、カメラ本体部６１ｂで生じる熱を排熱することができるとともに、通気口７２ｅ及びカメラ本体用気体供給部９１によって、カメラ本体カバー部７２の収容空間７３内に外気を流すことができる。これにより、カメラ本体カバー部７２内に収容されたカメラ本体部６１ｂを冷却することができる。本実施形態では、複数の通気口７２ｅを有するカメラ本体カバー側壁部７２ｃは、カメラ本体カバー部７２の上側に位置する。これにより、複数の通気口７２ｅからカメラ本体カバー部７２の収容空間７３内に、ミスト状の離型剤が進入することを抑制できる。なお、複数の通気口７２ｅを有するカメラ本体カバー側壁部７２ｃは、カメラ本体カバー部７２の下側以外であれば、カメラ本体カバー部７２の側方に位置してもよい。
【００４９】
図２から図５に示すように、レンズカバー部７５は、レンズ部６１ａを覆うとともに、レンズ部６１ａに対して光軸Ｌに沿った方向の前方に、矩形状の開口空間部７６（空間）を有する。
【００５０】
詳しくは、図３から図５に示すように、レンズカバー部７５は、光軸Ｌに沿った方向から見て矩形平板状のレンズカバー前側外壁部７５ａ及びレンズカバー後側外壁部７５ｂを有する。レンズカバー前側外壁部７５ａ及びレンズカバー後側外壁部７５ｂは、光軸Ｌに沿った方向に並ぶ。また、レンズカバー部７５は、レンズカバー前側外壁部７５ａとレンズカバー後側外壁部７５ｂとを、それぞれ４辺で光軸Ｌに沿った方向に接続する４つのレンズカバー側壁部７５ｃを有する。レンズカバー前側外壁部７５ａ、レンズカバー後側外壁部７５ｂ及び４つのレンズカバー側壁部７５ｃによって、直方体状のレンズカバー部７５の外形が構成される。
【００５１】
レンズカバー前側外壁部７５ａは、光軸Ｌに沿った方向から見て、光軸Ｌを含む中央部分に、矩形状の外側開口部７６ａを有する。レンズカバー後側外壁部７５ｂは、光軸Ｌに沿った方向から見て、光軸Ｌを含む中央部分に、レンズ側開口部７６ｂを有する。レンズ側開口部７６ｂ内には、赤外線カメラ６１のレンズ部６１ａが位置する。レンズカバー後側外壁部７５ｂは、光軸Ｌに沿った方向から見て、レンズ側開口部７６ｂに対して光軸Ｌに直交する方向に、一対の貫通孔７７ａを有する。レンズ側開口部７６ｂは、光軸Ｌに沿った方向から見て、一対の貫通孔７７ａの間に位置する。一対の貫通孔７７ａは、カメラ本体カバー部７２のカメラ本体カバー前側外壁部７２ａに位置する気体注入部８２に繋がる。これにより、気体注入部８２から貫通孔７７ａに気体が流れる。
【００５２】
レンズカバー部７５は、レンズカバー前側外壁部７５ａの外側開口部７６ａとレンズカバー後側外壁部７５ｂとを接続する４つのレンズカバー内壁部７５ｄを有する。各レンズカバー内壁部７５ｄは、光軸Ｌに沿った方向から見て矩形状の外側開口部７６ａの各辺と、レンズカバー後側外壁部７５ｂとを接続する。これにより、レンズカバー部７５は、４つのレンズカバー内壁部７５ｄに囲まれた開口空間部７６を有する。開口空間部７６は、光軸Ｌに沿った方向から見て、レンズカバー部７５の中央部に位置する。
【００５３】
４つのレンズカバー内壁部７５ｄは、レンズカバー後側外壁部７５ｂを光軸Ｌに沿った方向から見て、レンズカバー後側外壁部７５ｂに対してレンズ側開口部７６ｂを囲んだ位置に接続される。これにより、レンズ側開口部７６ｂは、光軸Ｌに沿った方向において、開口空間部７６の後側に位置する。
【００５４】
４つのレンズカバー内壁部７５ｄは、それぞれ、光軸Ｌに沿った方向において、レンズカバー前側外壁部７５ａ側の部分が、レンズカバー前側外壁部７５ａに近づくほど光軸Ｌから離間する。すなわち、４つのレンズカバー内壁部７５ｄは、それぞれ、光軸Ｌに沿った方向において、レンズカバー前側外壁部７５ａ側に、内壁テーパ部７５ｅを有する。これにより、４つのレンズカバー内壁部７５ｄに囲まれた開口空間部７６のうち、光軸Ｌに沿った方向におけるレンズカバー前側外壁部７５ａ側の部分は、レンズカバー前側外壁部７５ａに近づくほど光軸Ｌに直交する断面の面積が増大する。
【００５５】
以上の構成により、開口空間部７６は、外側開口部７６ａ及びレンズ側開口部７６ｂに繋がっている。
【００５６】
開口空間部７６内には、外側開口部７６ａを介して赤外線が入射可能である。よって、開口空間部７６を介して、レンズ部６１ａには、光軸Ｌに沿って赤外線が入射される。
【００５７】
４つのレンズカバー内壁部７５ｄは、それぞれ、内壁テーパ部７５ｅに、スリット７８ａ（吐出孔）を含む開口部７８を有する。各スリット７８ａは、各内壁テーパ部７５ｅを貫通する。各スリット７８ａは、光軸Ｌに沿った方向から見て矩形状の外側開口部７６ａの各辺に沿って延びる。すなわち、４つのレンズカバー内壁部７５ｄのスリット７８ａは、光軸Ｌに沿った方向から見て、開口空間部７６を囲む。また、４つのレンズカバー内壁部７５ｄのスリット７８ａは、レンズカバー部７５のレンズカバー内壁部７５ｄ（内面）に、光軸Ｌを囲んで等間隔で位置する。
【００５８】
上述のように、内壁テーパ部７５ｅは、光軸Ｌに沿った方向において、レンズカバー前側外壁部７５ａに近づくほど光軸Ｌから離間するため、内壁テーパ部７５ｅに位置するスリット７８ａは、光軸Ｌに対して交差し且つ光軸Ｌに沿った方向の前方に向かって開口する。
【００５９】
また、レンズカバー部７５は、光軸Ｌに沿った方向から見て、外周側の内部に、気体供給空間部７７を有する。詳しくは、気体供給空間部７７は、レンズカバー前側外壁部７５ａ、レンズカバー後側外壁部７５ｂ、レンズカバー側壁部７５ｃ及びレンズカバー内壁部７５ｄによって囲まれた空間を含む。気体供給空間部７７は、光軸Ｌに沿った方向から見て、開口空間部７６を囲む。すなわち、気体供給空間部７７は、光軸Ｌに沿った方向から見て、光軸Ｌ及び赤外線カメラ６１のレンズ部６１ａを囲む環状である。
【００６０】
気体供給空間部７７は、４つのレンズカバー内壁部７５ｄに位置するスリット７８ａを介して、開口空間部７６と接続される。また、気体供給空間部７７は、一対の貫通孔７７ａを介して、レンズ防護部８０の気体注入部８２に接続される。これにより、気体注入部８２から注入される気体は、気体供給空間部７７を介して、スリット７８ａから開口空間部７６に供給される。また、上述のように、スリット７８ａは、光軸Ｌに対して交差し且つ光軸Ｌに沿った方向の前方に向かって開口するため、開口空間部７６に対し、光軸Ｌに交差し且つ光軸Ｌに沿った方向の前方に向かって、気体を吹き出す。
【００６１】
４つのレンズカバー内壁部７５ｄのスリット７８ａは、レンズカバー部７５のレンズカバー内壁部７５ｄに、光軸Ｌを囲んで等間隔で位置するため、スリット７８ａによって、開口空間部７６に対して複数の方向に気体を均等に吹き出すことができる。
【００６２】
レンズ防護部８０は、開口空間部７６に対してスリット７８ａから気体を吹き出す構成を有する。すなわち、レンズ防護部８０は、赤外線カメラ６１のレンズ部６１ａのレンズ表面６１ｃに、ミスト状の離型剤が付着するのを防止する構成を有する。
【００６３】
具体的には、図３及び図４に示すように、レンズ防護部８０は、気体供給部８５と、上述のレンズカバー部７５とを備える。気体供給部８５は、レンズカバー部７５の気体供給空間部７７に対して気体を供給する。気体供給部８５は、気体導入部８１と、一対の気体注入部８２と、気体チューブ８３と、図示しない気体供給源とを備える。気体供給源は、カメラ制御部６２によって、レンズカバー部７５の気体供給空間部７７に対する気体の供給が制御される。すなわち、気体供給部８５は、カメラ制御部６２によって駆動制御される。
【００６４】
気体導入部８１は、カメラ本体カバー部７２のカメラ本体カバー後側外壁部７２ｂを厚み方向に貫通する。すなわち、気体導入部８１の一部は、カメラ本体カバー部７２の収容空間７３内に位置し、気体導入部８１の一部は、カメラ本体カバー部７２の外方に位置する。気体導入部８１のうちカメラ本体カバー部７２の収容空間７３内に位置する部分は、２つに分岐している。気体導入部８１の２つに分岐した部分は、気体チューブ８３を介して一対の気体注入部８２に接続される。なお、気体チューブ８３は、変形可能な樹脂材料によって構成される。
【００６５】
気体導入部８１は、カメラ本体カバー部７２の外方に位置する気体供給源にチューブ（図示省略）を介して接続されている。すなわち、気体導入部８１には、前記気体供給源から前記チューブを介して気体が供給される。
【００６６】
一対の気体注入部８２は、カメラ本体カバー部７２のカメラ本体カバー前側外壁部７２ａに位置する。一対の気体注入部８２は、レンズカバー部７５の貫通孔７７ａに接続される。これにより、気体導入部８１及び気体チューブ８３を介して気体注入部８２に供給された気体は、貫通孔７７ａを介して気体供給空間部７７に供給される。
【００６７】
気体供給空間部７７に供給された気体は、レンズカバー部７５のレンズカバー内壁部７５ｄに位置するスリット７８ａから、開口空間部７６に向かって吹き出す。この際、前記気体は、スリット７８ａから、開口空間部７６に対して、光軸Ｌに対して交差し且つ光軸Ｌに沿った方向の前方に向かって吹き出す（図５の実線矢印）。
【００６８】
しかも、既述のように、カメラ本体カバー部７２の内部から、カメラ本体カバー部７２の貫通孔７２ｄとレンズ部６１ａとの隙間及びレンズカバー部７５のレンズ側開口部７６ｂとレンズ部６１ａとの隙間を介して、レンズカバー部７５の開口空間部７６内にも気体が供給される（図５の破線矢印）。
【００６９】
これにより、開口空間部７６内に、光軸Ｌに沿った方向の前方に向かう気体の流れを生じさせることができるため、ミスト状の離型剤が進入することを防止できる。したがって、赤外線カメラ６１のレンズ部６１ａのレンズ表面６１ｃに、ミスト状の離型剤が付着することを防止できる。
【００７０】
本実施形態では、カメラ防護装置７０は、赤外線カメラ６１の光軸Ｌに沿って延び且つレンズ部６１ａの前方の開口空間部７６を囲む筒状であり、開口空間部７６に向かって気体を供給するレンズカバー部７５と、レンズカバー部７５に対して気体を供給する気体供給部８５と、を備える。レンズカバー部７５は、レンズカバー部７５内に位置し、気体供給部８５から気体が供給される気体供給空間部７７と、レンズカバー部７５のレンズカバー内壁部７５ｄに、気体供給空間部７７から開口空間部７６に向かって、赤外線カメラ６１の光軸Ｌに対して交差し且つレンズ表面６１ｃの斜め前方の複数の方向に気体を吹き出し可能なスリット７８ａとを有する。
【００７１】
これにより、レンズカバー部７５からレンズ部６１ａの前方の開口空間部７６に対して、レンズ表面６１ｃの斜め前方に供給される気体によって、レンズ表面６１ｃに異物が近づくことを防止できる。すなわち、レンズカバー部７５の複数のスリット７８ａから開口空間部７６に向かって、赤外線カメラ６１の光軸Ｌに対して交差し且つレンズ表面６１ｃの斜め前方に複数の方向に気体を吹き出すことにより、レンズ表面６１ｃの前方に、異物の進入を遮断する防護領域を形成することができる。よって、上述の構成により、レンズ表面６１ｃに異物が付着することを防止できる。
【００７２】
複数のスリット７８ａは、レンズカバー部７５のレンズカバー内壁部７５ｄに赤外線カメラ６１の光軸Ｌを囲んで等間隔で位置する。これにより、レンズカバー部７５から赤外線カメラ６１の光軸Ｌに対して交差する複数の方向に気体を吹き出す構成を、容易に実現できる。
【００７３】
スリット７８ａは、赤外線カメラ６１の光軸Ｌに対して交差する方向に延びる。これにより、レンズ表面６１ｃの前方の開口空間部７６に対し、赤外線カメラ６１の光軸Ｌに対して交差する方向に広い範囲に亘って気体を吹き出すことができる。よって、レンズ表面６１ｃに異物が近づくことをより確実に防止できる。
【００７４】
気体供給部８５は、気体供給空間部７７に対して気体を供給する複数の気体注入部８２を有する。これにより、レンズカバー部７５の気体供給空間部７７内に気体をより均一に供給することができる。よって、レンズカバー部７５のスリット７８ａから、レンズ部６１ａの前方の開口空間部７６に対して複数の方向に偏りなく気体を供給することができる。したがって、レンズ表面６１ｃに異物が近づくことをより確実に防止できる。
【００７５】
気体供給空間部７７は、赤外線カメラ６１の光軸Ｌ及びレンズ部６１ａを囲む環状である。これにより、気体供給空間部７７内の気体を、スリット７８ａからレンズ表面６１ｃの前方の開口空間部７６に対してより均一に供給することができる。よって、レンズ表面６１ｃに異物が近づくことをより確実に防止できる。
【００７６】
カメラ防護装置７０は、カメラ本体部６１ｂを覆うカメラ本体カバー部７２と、カメラ本体カバー部７２内に気体を供給するカメラ本体用気体供給部９１と、をさらに備える。カメラ本体カバー部７２によって、赤外線カメラ６１に異物が付着することを防止できる。しかも、カメラ本体カバー部７２内にカメラ本体用気体供給部９１によって気体を供給することにより、赤外線カメラ６１を冷却することができる。
【００７７】
レンズカバー部７５は、カメラ本体カバー部７２に対し、赤外線カメラ６１の光軸Ｌに沿った方向の前方に位置する。赤外線カメラ６１におけるレンズ部６１ａの一部は、カメラ本体カバー部７２から外方に突出してレンズカバー部７５内に位置する。カメラ本体用気体供給部９１は、カメラ本体カバー部７２内に、赤外線カメラ６１のレンズ部６１ａとは反対側から気体を供給する。カメラ本体カバー部７２及びレンズカバー部７５は、赤外線カメラ６１との間に、カメラ本体カバー部７２内の気体がレンズ部６１ａの前方に位置する開口空間部７６に向かって流れる隙間を有する。
【００７８】
これにより、カメラ本体カバー部７２内に供給された気体を、カメラ本体カバー部７２及びレンズカバー部７５と赤外線カメラ６１のレンズ部６１ａとの各隙間から、レンズ表面６１ｃの前方の開口空間部７６に向かって流すことができる。よって、レンズ表面６１ｃに異物が近づくことをより確実に防止できる。したがって、レンズ表面６１ｃに対する異物の付着をより確実に防止できる。
【００７９】
鋳造品を鋳造するための金型を有する鋳造装置１は、鋳造用金型１０の金型合わせ面１１ａ，１２ａの温度を計測する赤外線カメラ６１と、赤外線カメラ６１を防護するカメラ防護装置７０と、を備える。赤外線カメラ６１及びカメラ防護装置７０は、鋳造用金型１０よりも上方に位置する。
【００８０】
鋳造用金型１０よりも上方に位置する赤外線カメラ６１は、鋳造用金型１０に塗布される離型剤のミストによって、レンズ表面６１ｃが汚れやすい。赤外線カメラ６１のレンズ表面６１ｃが汚れると、赤外線カメラ６１によって鋳造用金型１０の金型合わせ面１１ａ，１２ａの温度を精度良く計測できない。
【００８１】
これに対し、本実施形態の構成を有するカメラ防護装置７０によって赤外線カメラ６１を防護することにより、赤外線カメラ６１のレンズ表面６１ｃに離型剤のミストが付着することを防止できる。よって、赤外線カメラ６１によって、鋳造用金型１０の金型合わせ面１１ａ，１２ａの温度を精度良く計測することができる。
【００８２】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００８３】
前記実施形態では、レンズカバー部７５の４つのレンズカバー内壁部７５ｄが、それぞれスリット７８ａを有する。しかしながら、レンズカバー部のスリットから開口空間部に対して複数の方向に気体を吹き出し可能であれば、レンズカバー部の４つのレンズカバー内壁部のうち少なくとも一つが前記スリットを有してもよい。また、レンズカバー部の４つのレンズカバー内壁部が、繋がったスリットを有してもよい。さらに、レンズカバー部は、開口空間部内に気体を吹き出し可能であれば、スリット以外の形状の開口部を有してもよい。
【００８４】
前記実施形態では、レンズカバー部７５の４つのレンズカバー内壁部７５ｄは、内壁テーパ部７５ｅを有する。しかしながら、レンズカバー内壁部は、内壁テーパ部を有さなくてもよい。
【００８５】
前記実施形態では、カメラ本体カバー部７２の内部から、カメラ本体カバー部７２の貫通孔７２ｄとレンズ部６１ａとの隙間及びレンズカバー部７５のレンズ側開口部７６ｂとレンズ部６１ａとの隙間を介して、レンズカバー部７５の開口空間部７６内にも気体が供給される。しかしながら、これらの隙間から、開口空間部内に気体が供給されなくてもよい。
【００８６】
前記実施形態では、開口空間部７６は、赤外線カメラ６１の光軸Ｌに沿った方向から見て、矩形状である。しかしながら、開口空間部の形状は、赤外線カメラのレンズ部に赤外線が入射可能な形状であれば、どのような形状であってもよい。また、開口空間部の位置も、光軸Ｌに沿った方向から見て、レンズカバー部７５の中央部以外であってもよい。
【００８７】
前記実施形態では、気体供給空間部７７は、光軸Ｌに沿った方向から見て、光軸Ｌ及びレンズ部６１ａを囲む環状である。しかしながら、気体供給空間部は、環状に繋がっていなくてもよい。すなわち、レンズカバー部は、複数の気体供給空間部を有してもよい。
【００８８】
前記実施形態では、レンズカバー部７５の気体供給空間部７７に、気体供給部８５によって気体を供給する。しかしながら、気体供給空間部に気体を供給する構成は、気体導入部、気体注入部及び気体チューブを介して気体供給空間部に気体を供給する構成以外の構成であってもよい。
【００８９】
前記実施形態では、カメラ防護装置７０は、赤外線カメラ６１のカメラ本体部６１ｂを覆うカメラ本体カバー部７２を有する。しかしながら、カメラ防護装置は、カメラ本体カバー部を有さなくてもよい。
【００９０】
前記実施形態では、カメラ防護装置７０は、鋳造装置１の鋳造用金型１０における金型合わせ面１１ａ，１２ａの温度を計測する赤外線カメラ６１を防護する。しかしながら、カメラ防護装置は、他の用途のカメラを防護してもよい。
【００９１】
前記実施形態では、可動型１１は、固定型１２に対して左右方向に移動する。すなわち、鋳造用金型１０は、左右方向に型開き及び型締めする。しかしながら、鋳造用金型は、上下方向などの他の方向に型開き及び型締めしてもよい。
【産業上の利用可能性】
【００９２】
本発明は、カメラのレンズ表面に対する異物の付着を防止するカメラ防護装置に利用可能である。
【符号の説明】
【００９３】
１  鋳造装置
２  射出プランジャ装置
３  可動盤
４  固定盤
５  離型剤塗布装置
１０  鋳造用金型
１０ａ  ゲート
１１  可動型
１１ａ  合わせ面
１２  固定型
１２ａ  合わせ面
１３  キャビティ
２１  プランジャスリーブ
２１ａ  溶融金属通路
２１ｂ  射出口
２１ｃ  供給口
２２  プランジャチップ
２３  プランジャロッド
６１  赤外線カメラ（カメラ）
６１ａ  レンズ部
６１ｂ  カメラ本体部
６１ｃ  レンズ表面
７０  カメラ防護装置
７１  ケーシング
７２  カメラ本体カバー部
７２ａ  カメラ本体カバー前側外壁部
７２ｂ  カメラ本体カバー後側外壁部
７２ｃ  カメラ本体カバー側壁部
７２ｄ  貫通孔
７２ｅ  通気孔
７３  収容空間
７５  レンズカバー部
７５ａ  レンズカバー前側外壁部
７５ｂ  レンズカバー後側外壁部
７５ｃ  レンズカバー側壁部
７５ｄ  レンズカバー内壁部
７５ｅ  内壁テーパ部
７５ｆ  スリット（吐出孔）
７６  開口空間部（空間）
７６ａ  外側開口部
７６ｂ  レンズ側開口部
７７  気体供給空間部
７７ａ  貫通孔
７８  開口部
７８ａ  スリット
８０  レンズ防護部
８１  気体導入部
８２  気体注入部
８３  気体チューブ
８５  気体供給部
９１  カメラ本体用気体供給部
Ｌ  光軸
【図１】
2019174645.tif 000003
【図２】
2019174645.tif 000004
【図３】
2019174645.tif 000005
【図４】
2019174645.tif 000006
【図５】
2019174645.tif 000007